(57)【特許請求の範囲】
【請求項１】
直立させて使用する外筒体に内筒体を繰出し可能に嵌挿してなる箱尺に水準器を取付ける構造であって、
前記外筒体の上端部に取付られ前記内筒体をスライド自在に案内する天部材の外周部位に水準器装着部が設けられ、その水準器装着部に前記水準器を着脱可能に取付けられるものであり、
前記内筒体をスライド自在に案内する天部材は、横断面形状が略Ｃ字状とされ、はめ込まれる外筒体の上端部外周面にほぼ密着する取付面と、その外筒体の上端に当接する段付部と、内筒体をスライド自在に案内する案内部と、内筒体との接触面積を小さくするための切欠とが形成されており、
更に、略Ｃ字状の天部材の外周部位である正面の壁面には、前記水準器装着部として上下方向に延びる平行な２本のガイドレールが設けられ、該ガイドレールには前記壁面に対して斜めになってほぼ向き合う押面が形成されており、
前記水準器には、水準器本体が嵌め込まれたケース体の背面側に前記水準器装着部としてのガイドレールに対応する形状の２本の係合部が該係合部の間に形成した溝を挟んで上下方向に配設されて、該２本の係合部が前記２本のガイドレールに弾性変位する状態で係合されると共に、
前記２本の係合部が前記２本のガイドレールに係合したときに前記天部材の上端に当接して位置決めする当接部が形成されていることを特徴とする箱尺の水準器取付構造。
【発明の詳細な説明】
【０００１】
【発明の属する技術分野】
本発明は、測量用の箱尺の水準器取付構造に関する。
【０００２】
【従来の技術】
従来、測量用箱尺を鉛直姿勢に立てるために、図１３に示すような水準器１６を利用している。この水準器１６は薄板製のＬ字状基台１１に水準器本体１２を取付けたものであり、図１４に示すように、箱尺１０の外筒体１３と内筒体１４との間にできる隙間に、基台１１の脚１１ａを挿し込んで使用するようになっている。同図中、１５は外筒体１３の上端部に取付けられた天部材であり、１５ａは天部材１５に形成された切欠を示している。
【０００３】
【発明が解決しようとする課題】
上記従来の水準器は既存の箱尺にそのまま使用できるので便利であるが、外筒体１３と内筒体１４との間に挿し込む基台１１の脚１１ａが内筒体１４の表面を擦り、目盛り面を傷つけるという問題があった。また、内筒体１４をスライドさせるときに操作が重くなり、水準器が動き易いことも問題であった。
【０００４】
本発明は、上記の事情に鑑みてなされたもので、水準器を箱尺に簡単かつ確実に着脱でき、しかも目盛り面を傷つけるおそれのない取付構造を提供することを目的とする。
【０００５】
【課題を解決するための手段】
このために、以下のような箱尺の水準器取付構造を創作した。すなわち、請求項１の発明に係る箱尺の水準器取付構造は、直立させて使用する外筒体に内筒体を繰出し可能に嵌挿してなる箱尺に水準器を取付ける構造であって、前記外筒体の上端部に取付られ前記内筒体をスライド自在に案内する天部材の外周部位に水準器装着部が設けられ、その水準器装着部に前記水準器を着脱可能に取付けられるものであり、前記内筒体をスライド自在に案内する天部材は、横断面形状が略Ｃ字状とされ、はめ込まれる外筒体の上端部外周面にほぼ密着する取付面と、その外筒体の上端に当接する段付部と、内筒体をスライド自在に案内する案内部と、内筒体との接触面積を小さくするための切欠とが形成されており、更に、略Ｃ字状の天部材の外周部位である正面の壁面には、前記水準器装着部として上下方向に延びる平行な２本のガイドレールが設けられ、該ガイドレールには前記壁面に対して斜めになってほぼ向き合う押面が形成されており、前記水準器には、水準器本体が嵌め込まれたケース体の背面側に前記水準器装着部としてのガイドレールに対応する形状の２本の係合部が該係合部の間に形成した溝を挟んで上下方向に配設されて、該２本の係合部が前記２本のガイドレールに弾性変位する状態で係合されると共に、前記２本の係合部が前記２本のガイドレールに係合したときに前記天部材の上端に当接して位置決めする当接部が形成されていることを特徴とする。
【０００６】
外筒体の天部材の装着部に対して水準器を装着する。この装着部は天部材の外周部位に設けられており、水準器と内筒体とが接触しない水準器取付構造にすることができる。すなわち、水準器の着脱が容易にできるようになり、かつ着脱時に箱尺の目盛り面を傷つけるおそれがない。また、箱尺の伸縮操作時に内筒体が重くなったり、水準器が外れるということもない。
【０００８】
水準器を外筒体に取付けるときには、外筒体の天部材のガイドレールに、水準器の係合部を挿し込んで当接部を天部材の上端部に当接させる。このとき、外筒体はほぼ直立しているから上方から力を加えてもぐらつき難く、水準器を簡単かつ確実に装着することができる。そして、当接部が天部材の上端部に当接することによって位置決めがなされた水準器は適正な姿勢で箱尺に取付けられる。
【０００９】
【発明の実施の形態】
以下、本発明の一実施形態を図１〜図１２に基づいて説明する。図１は、測量用箱尺の水準器取付構造を説明する斜視図である。同図に部分的に示されている箱尺１は、断面の大きさが異なる複数の筒体が同心状に順次嵌挿され、内側の筒体を繰出し可能に構成されたものであり、例えば、アルミ製の外筒体２の中に内筒体３が上端部を残してほとんど挿し込まれた状態となっている。
【００１０】
その外筒体２の上端部には樹脂製の天部材４が取付けられている。図２〜図４に示すように、この天部材４は横断面形状が略Ｃ字状とされ、はめ込まれた外筒体２の上端部外周面にほぼ密着する取付面４ａと、その外筒体２の上端に当接する段付部４ｂと、内筒体３をスライド自在に案内する案内部４ｃと、内筒体３との接触面積を小さくするための切欠４ｄとが形成されている。なお、天部材４の上端面（上端ともいう）４ｅは外筒体２の軸線に直交するように設定される。
【００１１】
そして、天部材４の外周部位である正面の壁面４ｆに、上下方向に延びる平行な２本のガイドレール５ａが設けられ、ガイドレール５ａには壁面４ｆに対し斜めになってほぼ向き合う押面５ｂ（図２参照）が形成されている。なお、天部材４は外周面が軸線に対してわずかに傾斜するテーパー面となっていて上端部より下端部の方が肉厚であり、押面５ｂと壁面４ｆとの間隔が、図４参照、下方に向かって狭くなるように形成されている。
本発明でいうところの装着部５は上記のように構成される。
【００１２】
次に、上記の装着部５に装着する水準器６について説明する。水準器６は、図５〜図１０に示すように、ケース体７の中に水準器本体８が嵌め込まれたものである。樹脂製のケース体７には上部が開口する収容部７ａ（図１０参照）が設けられ、ケース体７の背面側には前記装着部５のガイドレール５ａに対応する図示形状の２本の突部７ｂ（本発明でいう係合部）が上下方向に延びるように配設されている。なお、両突部７ｂの間に溝７ｃが形成されていて突部７ｂがガイドレール５ａと係合した際、弾性変位できるようになっている。この突部７ｂには、壁面４ｆに摺接可能な当接面７ｄと、ガイドレール５ａの押面５ｂに摺接可能な受面７ｅとが形成されている（図８参照）。なお、当接面７ｄと受面７ｅは壁面４ｆに対応するテーパーが長手方向につけられている。
【００１３】
ケース体７の左右両側位置には後方に向かって壁部７ｆが突き出し、壁部７ｆの端面７ｇが前記壁面４ｆに密着可能な形状に形成され、しかも、端面７ｇの下端部には微小高さの突部７ｎ（図１０参照）が形成されている。また、ケース体７の上端部にはストッパー７ｈが突設され、装着時に当接部７ｉが天部材４の上端面４ｅに当接できるようになっている。
なお、前記装着部５のガイドレール５ａと、ケース体７の突部７ｂとの係合状態は図１２に示されている。
【００１４】
また、ケース体７の底部には、図１０参照、孔７ｋ，７ｍが設けられている。３箇所にあけられた孔７ｋには水準器本体８を傾動させる調整ねじ８ｄがそれぞれ挿通される（図１及び図８参照、）。孔７ｍは中央部に１箇所あけられており、水準器本体８を傾動させるときに支点となる支持球体（図示省略）の下部を支えて位置決めするためのものである。なお、ケース体７の外周面には、滑り止め用の窪み７ｊが多数形成されている。
【００１５】
上記のケース体７に嵌め込まれた水準器本体８は、図５参照、透明板８ａに円形の中心マーク８ｂが表示されている。なお、ケース体７に挿着した水準器本体８の組付け時の初期調整は、ケース体７の下方に頭部を突出させている調整ねじ８ｄを回して行う。そして、使用時には、気泡８ｃの位置を中心マーク８ｂに合わせるようにして箱尺１の姿勢を調節する。
【００１６】
さて、上記のように構成された箱尺１の水準器取付構造の作用について説明する。箱尺１を手で持って起立状態にし（図１参照）、天部材４の水準器装着部５に対して水準器６を上からはめ込むようにして装着する。このとき、水準器装着部５のガイドレール５ａと水準器６のケース体７の突部（係合部）７ｂとは若干弾性変位して固く係合するようになっている（図１２参照）。ただし、ケース体７の当接面７ｄ及び端面７ｇと天部材４の壁面４ｆとはテーパー面となっているから、挿し込み時の抵抗が小さく着脱操作が容易にできる。なお、端面７ｇと壁面４ｆが当接するまでは、端面７ｇの下端部の突部７ｎが壁面４ｆに摺接するようになっているので摺動抵抗が小さい。そして、ケース体７のストッパー７ｈが天部材４の上端面４ｅに当接するとともに、端面７ｇと壁面４ｆとがほぼ密着して位置決めがなされるようになっている。
すなわち、外筒体２はほぼ直立しているから上方から力を加えてもぐらつき難く、水準器６を簡単かつ確実に装着することができる。ガイドレール５ａと突部７ｂとが係合し、当接部７ｉが天部材４の上端面４ｅに当接することによって位置決めされた水準器６は適正な姿勢で箱尺に取付けられたことになる。
【００１７】
水準器６の取付けが終わったら、水準器本体８を上から覗きながら箱尺１の姿勢を調節し、気泡８ｃの位置を中心マーク８ｂに合わせる。しかして箱尺１がほぼ鉛直に立てられる。
【００１８】
【発明の効果】
以上説明したように、本発明の水準器取付構造は、箱尺の外筒体に水準器を簡単かつ確実に着脱することができる。しかも、従来のように水準器側の部材が内筒体に接触することがないから箱尺の目盛り面に傷がつくおそれがなく、扱い易いものとなっている。
【図面の簡単な説明】
【図１】実施形態に係る箱尺の水準器取付構造を説明する斜視図である。
【図２】天部材の平面図である。
【図３】天部材の正面図である。
【図４】図３のＡ−Ａ断面図である。
【図５】水準器の平面図である。
【図６】水準器の正面図である。
【図７】水準器の背面図である。
【図８】水準器の底面図である。
【図９】水準器の右側面図である。
【図１０】水準器のケース体を単体で示す左側面断面図である。
【図１１】箱尺に水準器を取付けた状態を示す斜視図である。
【図１２】箱尺の天部材と水準器のケース体との係合関係を説明する横断面図である。
【図１３】従来例の水準器を示す斜視図である。
【図１４】従来例の水準器を箱尺に装着した使用例を示す斜視図である。
【符号の説明】
１  箱尺
２  外筒体
３  内筒体
４  天部材
４ｅ  上端面（上端）
５  水準器装着部
６  水準器
７  ケース体
７ｂ  突部（係合部）
７ｉ  当接部
【図１】
0003729958.tif 000002
【図２】
0003729958.tif 000003
【図３】
0003729958.tif 000004
【図４】
0003729958.tif 000005
【図５】
0003729958.tif 000006
【図６】
0003729958.tif 000007
【図７】
0003729958.tif 000008
【図８】
0003729958.tif 000009
【図９】
0003729958.tif 000010
【図１０】
0003729958.tif 000011
【図１１】
0003729958.tif 000012
【図１２】
0003729958.tif 000013
【図１３】
0003729958.tif 000014
【図１４】
0003729958.tif 000015